(57)【特許請求の範囲】
【請求項１】
外周に沿って開口孔が形成されたドラムヘッドと、
前記開口孔の少なくとも縁部を覆う遮蔽部が内周に沿って１又は複数設けられたフープと、
を有するドラム。
【請求項２】
前記遮蔽部と前記ドラムヘッドは、高さ方向に隙間があいている
ことを特徴とする請求項１に記載のドラム。
【請求項３】
前記遮蔽部は、前記ドラムヘッドに向かって開口する貫通孔を有する
ことを特徴とする請求項１または２に記載のドラム。
【請求項４】
前記貫通孔による前記遮蔽部の開口率が３０％以上である
ことを特徴とする請求項３に記載のドラム。
【請求項５】
内周に沿って設けられた１又は複数の遮蔽部を有するドラム用フープ
【発明の詳細な説明】
【技術分野】
【０００１】
本発明は、ドラムの打撃時の発生音の音量を低減する技術に関する。
【背景技術】
【０００２】
一般に、アコースティックドラムでは、ドラムヘッドを打撃した際に発生する発生音の音量が大きい。このため、ドラムを演奏する場所や、ドラムと共に演奏する他の楽器との音量のバランスによっては、音量を低減する必要がある。
【０００３】
そこで、ドラムの音量（発生音の音量）を低減する様々な構造が提案されている。例えば特許文献１には、ドラムヘッドの打面やこれと反対側の面の一部領域に各種ミュート部材を取り付けた構造が開示されている。この構造では、ドラムヘッドを打撃した際のドラムヘッドの振動をミュート部材によって吸収することで、発生音の音量低減が実現される。
【０００４】
また、例えば特許文献２には、開口径が微小（例えばコンマ数ｍｍ〜数ｍｍ程度）の多数の小孔を全体に形成した構造のドラムヘッドが開示されている。この構造では、多数の小孔により、ドラムヘッドの開口率が高くなる。そのため、ドラムヘッドが打撃されて振動しても、ドラムヘッドの振幅が小さくなり、発生音の音量低減が実現される。
【先行技術文献】
【特許文献】
【０００５】
【特許文献１】米国特許第５６３７８１９号明細書
【特許文献２】特許第３８３５０８４号公報
【発明の概要】
【発明が解決しようとする課題】
【０００６】
しかしながら、特許文献１のようにミュート部材をドラムヘッドに取り付けた構造のドラムでは、打撃時の発生音におけるサステインの長さが、ミュート部材を設けない通常の構造のドラムと比較して非常に短くなって、音の伸びがなくなる。そのため、ミュート部材を用いたドラムの発生音は、通常のドラムの発生音と比較して、明るさのない不自然な音色（劣化した音色）となる、という問題がある。
【０００７】
また、特許文献２のように開口径が微小な小孔が形成されているドラムヘッドでは、各小孔を通じてドラムの内外に空気が流出入する際のエネルギー損失（すなわち、摩擦損失）が大きく、発生音のサステインの長さが通常のドラムの発生音と比較して非常に短くなり、アタック音のみが強調された不自然な音色となる、という問題がある。
【０００８】
このため、特許文献１や特許文献２に開示の技術は、聴衆に演奏を披露する際の音量低減には適さない。また、特許文献２に開示の技術では、ドラムヘッドの小孔近傍に応力集中が発生し、打撃時にドラムヘッドが破損する可能性がある。
【０００９】
本発明は、上述した事情に鑑みてなされたものであって、通常のドラムの発生音に近い音色を得つつ、打撃に起因するドラムヘッドの破損の可能性を低減させ、打撃時の発生音の音量の低減を可能にする技術を提供することを目的とする。
【課題を解決するための手段】
【００１０】
上記課題を解決するために本発明は、外周に沿って開口孔が形成されたドラムヘッドと、開口孔の少なくとも縁部を覆う遮蔽部が内周に沿って１又は複数設けられたフープと、を有するドラムを提供する。
【００１１】
本発明によれば、開口孔の少なくとも縁部が遮蔽部により覆われている。すなわち開口孔の縁部が遮蔽部によって保護されているため、開口孔の縁部が打撃されることはなく、打撃に起因するドラムヘッドの破損の可能性を低減することが可能になる。このように、遮蔽部により開口孔の少なくとも縁部が保護されているため、この開口孔を大きくし、ドラムヘッドの開口率を上げることができる。そのため、通常のドラムの発生音に近い音色を得つつ、打撃時の発生音の音量の低減させることが可能になる。
【００１２】
より好ましい態様においては、遮蔽部とドラムヘッドは、高さ方向に隙間があいている。この態様によれば、打撃時にドラムヘッドが振動しても、遮蔽部とドラムヘッドが接触することがなく、ドラムヘッドの振動に影響を及ぼすこともない。
【００１３】
より好ましい態様としては、遮蔽部は、ドラムヘッドに向かって開口する貫通孔を有する。この態様によれば、貫通孔は開口孔を通じてドラムの内外に流出入する空気の流れを阻害しないため、通常のドラムの発生音により近い音色を得ることができる。
【００１４】
より好ましい態様としては、貫通孔による遮蔽部の開口率が３０％以上である。この態様によれば、貫通孔は開口孔を通じてドラムの内外に流出入する空気の流れをより阻害しないため、通常のドラムの発生音により近い音色を得ることができる。
【００１５】
別の好ましい態様としては、内周に沿って設けられた１又は複数の遮蔽部を有するドラム用フープを提供する。開口孔が形成されたドラムヘッドを有するドラムにこの態様のフープを装着すると、通常のドラムの発生音に近い音色を得つつ、打撃に起因するドラムヘッドの破損の可能性を低減させ、打撃時の発生音の音量の低減させることが可能になる。
【図面の簡単な説明】
【００１６】
【図１】本発明の一実施形態のドラムを示しており、（ａ）は平面図、（ｂ）は（ａ）のＩＢ−ＩＢ矢視断面図、（ｃ）は（ａ）のＩＣ−ＩＣ矢視断面図である。
【図２】同ドラムのドラムヘッドを示しており、（ａ）は上面図、（ｂ）は（ａ）のIIＢ−IIＢ矢視断面図である。
【図３】フープの変形例（１）を示す平面図である。
【図４】フープの変形例（２）を示す平面図である。
【図５】フープの変形例（３）を示す平面図である。
【図６】フープの変形例（４）を示す平面図である。
【図７】フープの変形例（５）を示す側断面図である。
【発明を実施するための形態】
【００１７】
以下、図１〜２を参照して本発明の実施の形態について説明する。
図１は、本発明の一実施形態のドラムを示しており、（ａ）は平面図、（ｂ）は（ａ）のＩＢ−ＩＢ矢視断面図、（ｃ）は（ａ）のＩＣ−ＩＣ矢視断面図である。ドラム１は、例えばタムであり、図１（ａ）や（ｂ）に示すように、筒状のシェル（胴部）２と、シェル２の一方の開口に取り付けられて打面として使用されるドラムヘッド３と、張設部４とを備える。シェル２は、木材や金属などの材料によって構成されている。
【００１８】
図２は、ドラムヘッド３を示しており、（ａ）は上面図、（ｂ）は（ａ）のIIＢ−IIＢ矢視断面図である。ドラムヘッド３は、ＰＥＴ（ポリエチレンテレフタラート）などのフィルムからなる円形のヘッド部１１と、フレッシュフープ１４とを備える。フレッシュフープ１４は、ヘッド部１１の外縁に連結されて、ヘッド部１１を保持する。フレッシュフープ１４は、その内径寸法がシェル２の外径寸法よりも大きな円環状に形成されている。
【００１９】
ヘッド部１１は、シェル２の一方の開口の縁部２Ａ（図１（ｃ）参照）の内側に配される有効振動膜部１２と、有効振動膜部１２の外縁に一体に形成され、シェル２の一方の開口の縁部２Ａの外側に配される外側膜部１３とを有する。有効振動膜部１２は、ドラムヘッド３がシェル２の一方の開口に取り付けられた状態で打撃された際に有効に振動する部分である。図２（ｂ）に示すように、外側膜部１３は、ヘッド部１１をシェル２に取り付けていない状態においても、有効振動膜部１２の外縁から、有効振動膜部１２の径方向外側に向かうにしたがって有効振動膜部１２の膜厚方向に傾斜するように延在しているが、これに限ることはない。
【００２０】
図２（ａ）に示すように、有効振動膜部１２は、外周領域１２Ａと中央領域１２Ｂに分けられる。外周領域１２Ａとは、有効振動膜部１２のうち打撃されない領域、あるいは、演奏において打撃される必要がない領域のことである。また、中央領域１２Ｂとは、有効振動膜部１２のうち演奏において打撃される領域のことである。本実施形態のドラムヘッド３は、ドラムスティックによって打撃される。中央領域１２Ｂを十分な大きさで確保できるように、例えば中央領域１２Ｂの半径は、有効振動膜部１２の半径の７５％に設定されるとよい。
【００２１】
ヘッド部１１には、有効振動膜部１２と外側膜部１３の両方にわたって、複数の開口孔１５が形成されている。各開口孔１５は、フレッシュフープ１４に達しており、フレッシュフープ１４の内周が各開口孔１５の外側の縁部となっている。
【００２２】
各開口孔１５の内側の縁部は、有効振動膜部１２の中心に向かって突き出るように湾曲している。本実施形態では、有効振動膜部１２の径方向に沿う開口孔１５の寸法が、有効振動膜部１２の周方向に沿う開口孔１５の寸法よりも小さい。このため、中央領域１２Ｂの面積を十分に確保しながら、開口孔１５の開口面積を十分に確保することが可能となる。
【００２３】
複数の開口孔１５の各々は互いに同じ形状かつ同じ寸法に形成されている。有効振動膜部１２における各開口孔１５の開口面積は、例えば７８ｍｍ２以上に設定されるとよい。
【００２４】
また、複数の開口孔１５は、有効振動膜部１２の周方向に沿って等間隔に配列されている。同一形状かつ同一寸法の複数の開口孔１５が等間隔に配列されるため、ドラムヘッドの対称性が良好に保たれ、打撃に伴うドラムヘッド３の全ての振動モードを通常のドラムヘッドに近い振動形態とすることができる。したがって、本実施形態の発生音は、複数の開口孔１５が有効振動膜部１２の周方向に沿って等間隔に配列されていないドラムヘッドを装着したドラムの発生音に比べて、通常のドラム（開口孔１５の無いドラムヘッドを有するドラム）の発生音にさらに近い音色となる。
【００２５】
図１（ａ）に示すように、張設部４は、上記ヘッド部１１をシェル２の一方の開口に張り付けて有効振動膜部１２にテンションを付与する。本実施形態の張設部４は、従来周知のラグ（図１では図示略）、フープ２２及びチューニングボルト２３によって構成されている。
【００２６】
フープ２２は、スチール、アルミニウム、亜鉛などの従来のアコースティックドラムに装着されるフープと同様の材質で構成されている。さらに、フープ２２の製造方法は、ダイキャストが望ましく、その場合、フープ２２の材質は、アルミや亜鉛であることが望ましい。
【００２７】
チューニングボルト２３が螺着されるラグは、シェル２の周方向に均等に複数配列されている。各ラグに螺着された各チューニングボルト２３を締め付けることで、フープ２２がドラムヘッド３のフレッシュフープ１４をシェル２の一方の開口側から他方の開口側に向けて付勢する。これによって、有効振動膜部１２にテンションが付与される。
【００２８】
図１（ａ）に示す例では、張設部４のラグやチューニングボルト２３の数が開口孔１５の数と同数になっているが、これに限ることはない。また図１（ａ）に示すように、本実施形態では、開口孔１５とラグとがヘッド部１１の径方向に並ばないように、ドラムヘッド３をシェル２に取り付けているが、これに限ることはない。
【００２９】
図１（ａ）〜（ｃ）に示すように、フープ２２には薄板状の遮蔽部２２Ａが設けられている。遮蔽部２２Ａは、フープ２２の内周に沿って設けられ、フープ２２の中心に向かって突き出るように形成されている。遮蔽部２２Ａは、各開口孔１５に対して一つずつ設けられる。遮蔽部２２Ａの形状は開口孔１５の形状と近似しているが、遮蔽部２２Ａの形状は、開口孔１５の形状よりも大きく形成されている。遮蔽部２２Ａの形状は、開口孔１５の形状よりも大きいので、図１（ａ）に示すように、ドラム１を上面から見ると、開口孔１５は遮蔽部２２Ａによって完全に覆われる。
【００３０】
さらに、遮蔽部２２Ａは、有効振動膜部１２と高さ方向に隙間があくように開口孔１５を上面から覆う。遮蔽部２２Ａと有効振動膜部１２には高さ方向に隙間があるため、打撃時に有効振動膜部１２が振動しても、有効振動膜部１２と遮蔽部２２Ａが接触することがなく、有効振動膜部１２の振動に影響を及ぼすこともない。遮蔽部２２Ａと有効振動膜部１２の高さ方向の隙間は、例えば２ｍｍに設定されるとよい。
【００３１】
遮蔽部２２Ａには、図１（ａ）に示すように、複数の小孔２２Ｂが設けられている。複数の小孔２２Ｂの各々は同じ直径の真円形状に形成されており、等間隔に千鳥配列されている。小孔２２Ｂの直径は、ドラムスティックのチップの直径（約１２ｍｍ）よりも小さく設定されている。小孔２２Ｂによる遮蔽部２２Ａの開口率は３０％以上が好ましく、より好ましくは５０％以上である。遮蔽部２２Ａの開口率は、遮蔽部２２Ａの面積、小孔２２Ｂの直径および小穴２２Ｂ同士の間隔で決まるが、例えば、小孔２２Ｂの直径は、５ｍｍに設定されるとよく、小孔２２Ｂ同士の間隔は、９ｍｍに設定されるとよい。
以上が、ドラム１の構成である。
【００３２】
本実施形態のドラム１においては、有効振動膜部１２に複数の開口孔１５が形成されている。これにより、ドラムヘッド３を打撃した際には、ドラムヘッド３から振動が伝搬される空気の量が減少し、発生音の音量を低減することができる。
【００３３】
また、開口孔１５は有効振動膜部１２の外周領域１２Ａに形成されているため、十分な大きさをとることができる。その結果として、開口孔１５を通じてドラム１の内外に空気が流出入する際のエネルギー損失を抑制あるいは防止して、打撃時の発生音におけるサステインの長さを通常のドラムに近づけることができる。また、開口孔１５の内側の縁部は、有効振動膜部１２の中心に向かって突き出るように湾曲しているため、有効振動膜部１２にテンションを均一に付与することができる。その結果、本実施形態の発生音は、通常のドラムの発生音にさらに近い音色となる。さらに、本実施形態では、有効振動膜部１２の径方向に沿う開口孔１５の寸法が、有効振動膜部１２の周方向に沿う開口孔１５の寸法よりも小さいため、中央領域１２Ｂの面積を十分に確保しながら、開口孔１５の開口面積を十分に確保することが可能となる。
【００３４】
本実施形態の特徴は、フープ２２に遮蔽部２２Ａを設けたことにある。フープ２２に遮蔽部２２Ａを設けた理由は次の通りである。仮に、遮蔽部２２Ａが設けられていないとすると、打撃時に開口孔１５の縁部が打撃されることが起こり得る。有効振動膜部１２には複数の開口孔１５が形成されているため、開口孔１５を形成しない場合に比較して耐久性が低下しており、開口孔１５の縁部が打撃されるとその打撃箇所を起点として有効振動膜部１２が破損する虞がある。また、開口孔１５の開口面積が大きく設定されているので、打撃時において、打撃に使用するドラムスティックを誤って開口孔１５に引っ掛け、演奏が阻害される虞もある。
【００３５】
しかし、本実施形態では、開口孔１５は遮蔽部２２Ａによって完全に覆われており、開口孔１５の縁部を打撃から保護することができ、打撃時にドラムスティックを誤って開口孔１５に引っ掛けることもない。そのため、打撃に起因する有効振動膜部１２の破損の可能性が低減され、ドラム１の演奏性も良好になる。
【００３６】
さらに、遮蔽部２２Ａには複数の小孔２２Ｂが設けられており、小孔２２Ｂを介した空気の流出入が可能となっている。そのため、小孔２２Ｂが設けられていない遮蔽部を装着したドラムと比較して、開口孔１５を通じたドラム１の内外に流出入する空気の流れが阻害される程度が低くなる。そして、開口孔１５を通じてドラム１の内外に空気が流出入する際のエネルギー損失を抑制あるいは防止して、打撃時の発生音におけるサステインの長さを通常のドラムに近づけることができる。
【００３７】
さらに、小孔２２Ｂの直径はドラムスティックのチップの直径よりも小さいことから、打撃時にドラムスティックを誤って開口孔１５に引っ掛けることもない。そのため、ドラム１の演奏性が良好になる。
【００３８】
以上のことから、本実施形態によれば、通常のドラムの発生音に近い音色を得つつ、打撃に起因するドラムヘッドの破損の可能性を低減させ、さらに演奏性を良好にし、打撃時の発生音の音量の低減を可能にすることができる。通常のドラムの発生音に近い音色を得ることができるため、ドラム１は練習用に限られず、聴衆に披露する演奏にも用いることができる。
【００３９】
本実施形態においては、有効振動膜部１２と外側縁部１３の両方にわたって開口孔１５が形成されていたが、開口孔１５を有効振動膜部１２のみに形成する態様であってもよい。このような態様であれば、ドラムヘッド３の製造が容易になる。
【００４０】
また、本実施形態のドラムヘッド３やフープ２２のシェル２への装着方法は、通常のドラムヘッドやフープと同じである。このため、張設部４によるヘッド部１１の張り具合の調整（チューニング）を、通常のドラムヘッドの場合と同様に実施することもできる。さらに、シェル２と同一形状の他のシェルにも装着することができる。
【００４１】
また、本実施形態による音量の調整量は、ドラムヘッド３の開口率に応じて定まる。例えば、ドラムヘッド３の開口率が高ければ、発生音の音量を一層小さくすることができる。したがって、ドラムヘッド３の開口率が異なる複数種類のドラムヘッド３を用意しておくことで、演奏に必要な音量の発生音を発生するドラムヘッド３を適切に選択することも可能となる。
【００４２】
＜他の実施形態＞
以上、この発明の実施形態について説明したが、この発明には他にも実施形態があり得る。例えば次の通りである。
（１）上記実施形態では、遮蔽部２２Ａに真円形状の小孔２２Ｂを等間隔の千鳥配列で設けた。しかし、遮蔽部に設けられる貫通孔は、小孔２２Ｂと同様の効果を得ることができれば、どのような形状でもよい。例えば、遮蔽部２４Ａに弓型形状の貫通孔２４Ｂを設けたフープ２４（図３参照）を装着したドラムは、上記実施形態と同様の効果を得ることができる。
【００４３】
（２）上記実施形態では、開口孔１５全体を覆う形状および大きさの薄板状の遮蔽部２２Ａをフープ２２に設けた。しかし、開口孔１５の縁部のみを覆う線材を遮蔽部としても用いてもよい。図４は、開口孔１５の縁部のみを覆う線材状の遮蔽部２５Ａを有するフープ２５の一例を示す図である。
【００４４】
図４に示すフープ２５をドラム１に装着しても、有効振動膜部１２の開口孔１５の縁部、すなわち開口孔１５の縁部を打撃から保護することができる。つまり、フープ２２を用いた場合と同様に、ドラムヘッド３が破損する可能性を低減できる。さらに、遮蔽部２５Ａの開口率は遮蔽部２２Ａの開口率よりも大きいので、フープ２２を装着した場合よりも、開口孔１５を通じてドラム１の内外に空気が流出入する際のエネルギー損失を抑制あるいは防止する効果が高い。そのため、フープ２５を装着したドラム１の打撃時の発生音のサステインの長さは、フープ２２を装着したドラム１よりも、より通常のドラムに近づくことになる。
【００４５】
（３）上記実施形態では、フープ２２の遮蔽部２２Ａに真円形状の小孔２２Ｂが等間隔の千鳥配列で設けられていたが、図５に示すように、フープ２６の遮蔽部２６Ａにメッシュ形状の貫通孔２６Ｂを設けてもよい。すなわち、フープ２６は、変形例（２）のフープ２５の貫通孔２５Ｂにメッシュを設け、貫通孔２６Ｂとしたものである。
【００４６】
フープ２６をドラムに装着した場合も、有効振動膜部１２の開口孔１５の縁部を打撃から保護することができる。そのため、フープ２２を用いた場合と同様に、ドラムヘッド３が破損する可能性を低減できる。さらに、遮蔽部２６Ａにはメッシュ形状の貫通孔２６Ｂが設けられているため、遮蔽部２６Ａの開口率はフープ２２の遮蔽部２２Ａの開口率よりも高い。このため、フープ２６を装着したドラムでは、フープ２２を装着したドラム１よりも打撃時の発生音の音量をより低減でき、さらに、通常のドラムの発生音により近い音色を得ることができる。
【００４７】
（４）上記実施形態では、フープ２２の遮蔽部２２Ａは開口孔１５のみを覆っていたが、ドラムヘッド３における開口孔１５以外の部分も覆ってもよい。具体的には、図６に示すように、フープ２７の内周に沿って円環状の遮蔽部２７Ａを設け、この遮蔽部２７Ａによって、開口孔１５だけでなく、有効振動膜部１２の外周領域１２Ａも覆っていてもよい。なお、遮蔽部２７Ａには貫通孔２７Ｂが設けられている。このため、フープ２２に比べて、打撃時にドラムスティックを誤って開口孔１５に引っ掛ける可能性が低くなり、ドラム１の演奏性がより良好になる。
【００４８】
（５）上記実施形態では、遮蔽部２２Ａの形状は、開口孔１５の形状よりも大きく形成されていたが、これに限ることはない。例えば、遮蔽部２２Ａの形状が開口孔１５の形状よりも小さく形成されていてもよい。このような場合、上記実施形態に比べて、開口孔１５を通じてドラム１の内外に流出入する空気の伝搬が阻害される程度が低くなる。そのため、打撃時の発生音のサステインの長さが通常のドラムにより近づき、通常のドラムの発生音により近い音色が得られる。
【００４９】
（６）上記実施形態では、遮蔽部２２Ａに小孔２２Ｂが設けられていたが、小孔２２Ｂが設けられていなくてもよい。ただし、この場合には、遮蔽部２２Ａと有効振動膜部１２との高さ方向の隙間は、上記実施形態における隙間よりも大きく設定されていることが好ましい。なぜなら、上記実施形態において、遮蔽部２２Ａに小孔２２Ｂが設けられていないと、遮蔽部２２Ａが開口孔１５を通じてドラム１の内外に流出入する空気の伝搬を阻害し、打撃時の発生音のサステインの長さは通常のドラムヘッドからかけ離れたものとなるからである。遮蔽部２２Ａと有効振動膜部１２との高さ方向の隙間が、上記実施形態における隙間よりも大きく設定されていると、遮蔽部２２Ａに小孔２２Ｂが設けられていなくとも、遮蔽部２２Ａにより開口１５を通じてドラム１の内外に流出入する空気の伝搬が阻害される程度が低くなる。そのため、打撃時の発生音のサステインの長さが通常のドラムヘッドに近づき、通常のドラムの発生音に近い音色が得られる。
【００５０】
（７）上記実施形態では、小孔２２Ｂの直径はドラムスティックのチップの直径よりも小さかったが、これに限ることはない。例えば、小孔２２Ｂの直径がドラムスティックのチップの直径よりも大きくてもよい。このような場合、小孔２２Ｂによる遮蔽部２２Ａの開口率が、上記実施形態の開口率よりも大きくなる。そのため、上記実施形態に比べて、開口孔１５を通じてドラム１の内外に流出入する空気の伝搬が阻害される程度が低くなり、打撃時の発生音のサステインの長さが通常のドラムにより近づき、通常のドラムの発生音により近い音色が得られる。
【００５１】
（８）上記実施形態では、フープ２２と遮蔽部２２Ａが一体化していたが、これらが分離していてもよい。具体的には、図７（ａ）に示すように、遮蔽部２２Ａと同様の小孔２８Ｂを設けた遮蔽部２８Ａを有する遮蔽部材２８を従来のドラムのフープ２２’のリムに固定する。フープ２２’のリムと接する遮蔽部材２８の固定部２８Ｃは、リング状の円盤を山折りに折り曲げた形状をしており、遮蔽部材２８は、リムに固定部２８Ｃの谷状になった底を引っ掛けることで固定される。
【００５２】
遮蔽部材２８であれば、通常のドラムのドラムヘッドに開口孔１５を設け、さらにリムに遮蔽部材２８を設けるだけで本発明のドラム１を実現することができ、遮蔽部２２Ａを設けたフープ２２を別途用意する必要がない。そのため、安価に本発明のドラム１を実現することができる。
【００５３】
また、図７（ｂ）に示すように、遮蔽部２２Ａと同様の小孔２９Ｂを設けた遮蔽部２９Ａを有する遮蔽部材２９を従来のフープ２２’とフレッシュフープ１４との間に固定してもよい。遮蔽部材２９の固定部２９Ｃは、円環状の薄板1２枚を斜めに貼り合せた形状をしており、固定部２９Ｃの内周に沿って遮蔽部２９Ａが設けられている。フープ２２’とフレッシュフープ１４との間に固定部２９Ｃの外周を挟み込み、チューニグボルト２３を締め付けることで、フープ２２がシェル２の一方の開口側から他方の開口側に向かって付勢する。これによって、有効振動膜部１２にテンションが付与されると同時に、遮蔽部材２９は共締めされ固定される。
【００５４】
遮蔽部材２９であれば、遮蔽部材２８と同様に、通常のドラムのフープ２２を利用することができるため、安価に本発明のドラム１を実現することができる。
【符号の説明】
【００５５】
１……ドラム、２……シェル、２Ａ……縁部、３……ドラムヘッド、４……張設部、１１……ヘッド部、１２……有効振動膜部、１２Ａ……外周領域、１２Ｂ……中央領域、１３……外側縁部、１４……フレッシュフープ、１５……開口孔、２２，２２’，２４，２５，２６，２７……フープ、２２Ａ，２４Ａ，２５Ａ，２６Ａ，２７Ａ，２８Ａ，２９Ａ……遮蔽部、２２Ｂ，２８Ｂ，２９Ｂ……小孔、２３……チューニングボルト、２４Ｂ，２５Ｂ，２６Ｂ，２７Ｂ……貫通孔、２８，２９……遮蔽部材、２８Ｃ，２９Ｃ……固定部。
【図１】
0006569442.tif 000002
【図２】
0006569442.tif 000003
【図３】
0006569442.tif 000004
【図４】
0006569442.tif 000005
【図５】
0006569442.tif 000006
【図６】
0006569442.tif 000007
【図７】
0006569442.tif 000008